(57)【要約】【課題】本発明は自動フィーダー装置を提供する。【解決手段】フィーダー機構、伝送経路、第一、第二ガイド経路、第一、第二ガイド板を有する第一ガイドユニット、第二ガイドユニット、第一、第二一時的保存経路、第一ないし第五ローロセットを少なくとも含み、前記第一ガイド板の一端は第一、第二ガイド経路の間にピボットし、他端は下へその下端の前記第二ガイド板に当接する。以上の発明によって、前記第二ガイド経路からのペーパーについて、前記第二ガイド板の上端表面を通過し前記第一ガイド板の下端表面を開け前記第一、第二一時的保存経路に入り、前記第一か第二一時的保存経路における前記ペーパーに一時に保存し、前記第一ガイド板の上端表面を通過し前記第一ガイド経路に案内する。【選択図】  図２（a）
2008044785.tif 000002
【特許請求の範囲】
【請求項１】
ペーパーを置くためのフィーダー機構と接続し合う取込口、取出口、映像検知領域を有する伝送経路と、
それぞれの一端が前記伝送経路を接続し合うそれぞれ箇所に第一と第二タンデム点を形成する第一と第二ガイド経路と、
前記第一と第二ガイド経路の他端付近に設置し、前記第二ガイド経路からのペーパーを一時的に保存し、且つ前記ペーパーの表面を第一或いは第二方向に向かう方法により再び前記第一ガイド経路へ送る第一と第二一時的保存経路で前記第一方向と第二方向はペーパーの向きが相反することと、
前記第一と第二ガイド経路の他端に隣接に設置し、前記第一と第二一時的保存経路の間の第一と第二のガイド板を有する第一ガイドユニットで、第一ガイドユニットは前記第一と第二一時的保存経路と第一と第二ガイド経路の他端を選択的に接続し合うことで、前記第一ガイド板の一端は前記第一と第二ガイド経路の他端の間にピボットし他端は下へその下端の前記第二ガイド板に当接し、前記第二ガイド板の移動に応じて同時に移動し、且つ前記第二ガイド経路からのペーパーは前記第二ガイド板の導きにより第一と第二一時的保存経路に導入され、第一と第二一時的保存経路からの前記ペーパーは前記第一ガイド板の導きにより第一ガイド経路に導入することと、
前記第二タンデム点にピボットすると共に、前記第二ガイド経路の一端と前記伝送経路を選択的に接続し合い、前記映像検知領域を通過する前記ペーパーを導き前記第二ガイド経路を導入し或いは前記取出口に送る第二ガイドユニットを含むことを特徴とする自動フィーダー装置。
【請求項２】
前記第二ガイド板の一端は前記第二ガイド経路の他端下方にピボットし、その上端にある前記第一ガイド板の他端を下へ前記第二ガイド板の上端表面に当接し、前記第二ガイド板の他端は第一と第二一時的保存経路と選択的に接続し合うことを特徴とする請求項１に記載する自動フィーダー装置。
【請求項３】
前記第二ガイドユニットの一端は前記第二タンデム点にピボットし、且つ前記第二ガイドユニットの他端を移動し前記第二ガイド経路と前記伝送経路を接続し合う時に、映像検知領域を通過する前記ペーパーを導き前記第二ガイドユニットの上端表面により前記第二ガイド経路を導入し又は前記第二ガイドユニットの他端を移動し前記第二ガイド経路を停止させ前記伝送経路と接続し合う時に、前記第二ガイドユニットの下端表面を経由し前記取出口に送り出すことを特徴とする請求項２に記載する自動フィーダー装置。
【請求項４】
さらに前記第一タンデム点と映像検知領域の間の経路領域に接続する第一検知制御素子であり、前記自動フィーダー装置が両面モードとなる場合はその中の前記ペーパーを通過する前記第一面と第二面を検知するのに用いられ、初回と二回目の映像検知動作をそれぞれ行い、且つ前記第二ガイドユニットの他端の移動動作を制御し前記第二ガイド経路と前記伝送経路を接続し合い、初回又は二回目の映像検知動作を完了し前記第二ガイドユニットの案内により前記第二ガイド経路に導き、
前記第二ガイド経路の経路領域に設置する第二検知制御素子であり、前記自動フィーダー装置が両面モードとなる場合は前記一回目の映像検知動作を完了し、前記第二ガイド経路により前記第二ガイド板を導き前記第一ガイド板の他端を開けた後に前記第一一時的保存経路の前記ペーパーの第一面に入り、元のペーパーが向いている方向と異なる方向に変えて、前記第一一時的保存経路から反対方向で伝送すると共に、前記第一ガイド板の上端表面により前記第一ガイド経路内に送り、或いは前記自動フィーダー装置が両面モードとなり前記ペーパーが前記２回目の映像検知動作を完了すると、前記第二ガイド板の他端の移動動作を制御し、前記第一、第二ガイド経路共に前記第二一時的保存経路に接続し合えるようにして、前記第二ガイド経路からの前記ペーパーが前記第二ガイド板の上端表面を通過し前記第一ガイド板の他端を開けた後に前記第二一時的保存経路に入り、且つ前記第二一時的保存経路にある前記ペーパーの第一面が元のペーパーが向いている方向に変えて、前記第二一時的保存経路から反対方向で伝送し前記第一ガイド板の上端表面により再び第一ガイド経路に送り、
前記第一ガイド経路の経路領域に設置する第三検知の制御素子であり、前記自動フィーダー装置が両面モードとなる場合で前記第二一時的保存経路からの前記ペーパーは前記第一ガイド経路に送った後、前記第二ガイド板の他端の移動動作を制御し前記第一と前記第二ガイド経路を前記第一一時的保存経路に接続させることを含むことを特徴とする請求項３に記載する自動フィーダー装置。
【請求項５】
前記ペーパーが前記第二一時的保存経路に送られ前記第二ガイド経路からよく離れる前に、前記第二検知制御素子は前記第二ガイドユニットの他端の移動動作を制御し前記第二ガイド経路と前記伝送経路の接続を停止することを特徴とする請求項４に記載する自動フィーダー装置。
【請求項６】
前記自動フィーダー装置が片面モードとなる場合は前記第二ガイド経路が停止、前記伝送経路を接続し合うことに位置する形態に応じて前記ペーパーを前記フィーダー箇所から前記伝送経路に入り、前記映像検知領域を通過し一回の映像検知のみを行なった後、前記第二ガイドユニットの導きにより前記取出口に送られることを特徴とする請求項５に記載する自動フィーダー装置。
【請求項７】
さらに前記伝送経路の経路に設置し前記第一タンデム点と前記映像検知領域の間に位置し、前記取込口又は前記第一ガイド経路からのペーパーを案内し、前記映像検知領域の向きに送る第一ロールセットと、
２個のマスタロール及び前記２個のマスタロール間に位置するスレーブロールを含み、且つ前記スレーブロールと前記２個のマスタロールの間のそれぞれの対向する位置に上、下順番で配列する第一、二の一時的保存カセットをそれぞれ設置し、前記第一及び二の一時的保存経路の一部経路領域をそれぞれ構成する第二ロールセットを含むことを特徴とする請求項１に記載する自動フィーダー装置。
【請求項８】
さらに前記第一ガイド経路の経路に設置し、前記第二ロールセットの回転に合わせて前記第一又は第二一時的保存経路から前記第一ガイド板の上端表面を通過する前記ペーパーを前へ送り、前記第一タンデム点により前記伝送経路に送る第三ロールセットと、
前記取出口に設置し前記第一ロールセットの回転に合わせて前記第二ガイドユニットの移動に応じて前記第二ガイド経路の一端を停止し、前記伝送経路と接続し合う時に、前記映像検知領域を通過する前記ペーパーを前記第二ガイドユニットの案内により前記取出口から送る第四ロールセットと、
前記第二ガイド経路の経路に設置し前記第一ロールセットの回転に合わせて前記第二ガイドユニットの移動に応じて前記第二ガイド経路の一端と前記伝送経路を接続し合う時に、前記映像検知領域を通過する前記ペーパーを、前記第二ガイドユニットの案内により前記第二ガイド経路に送る第五ロールセットを含むことを特徴とする請求項７に記載する自動フィーダー装置。
【請求項９】
前記第一、第三〜第五ロールはマスタロールとスレーブロールをそれぞれ含むと共に、対応する経路の両端にそれぞれ設置することを特徴とする請求項８に記載する自動フィーダー装置。
【請求項１０】
前記第一ガイド板と前記第二ガイド板はそれぞれはマスタ案内バーとスレーブ案内バーで、前記第二ガイドユニットはスレーブ案内バーで前記第一及び第二方向はそれぞれ上向きのペーパーと下向きのペーパーの方向かそれぞれ下向きのペーパーと上向きのペーパーの方向であることを特徴とする請求項１に記載する自動フィーダー装置。
【請求項１１】
ペーパーを置くためのフィーダー機構と接続し合う取込口、取出口、映像検知領域を有する伝送経路と、
それぞれの一端が前記伝送経路を接続し合い、それぞれ接続し合う箇所に第一と第二タンデム点を形成し、前記映像検知領域を通過するための前記ペーパーを供する前記第一と第二ガイド経路で、前記第一と第二ガイド経路により再び前記伝送経路に送り、
前記第一と第二ガイド経路の他端に隣接設置する第一ガイドユニットで、前記第一と第二一時的保存経路の間に前記第一又は第二一時的保存経路を前記第一ガイドユニットの移動に応じて、前記第一と第二一時的保存経路の他端にそれぞれ選択的に接続し合い、
前記第一一時的保存経路は前記第一ガイドユニットを前記第一及び第二ガイド経路の他端に接続し合うことまで移動させる時に、前記ペーパーを前記第二ガイド経路から前記第一ガイドユニットを経由して送り一時的に保存すると共に、前記第一一時的保存経路に一時的に保存する前記ペーパーは前記第一ガイドユニットにより前記第一一時的保存経路に送り、
前記第二一時的保存経路は前記第一ガイドユニットを前記第一及び第二ガイド経路の他端に接続し合うことまで移動させる時に、前記ペーパーを前記第二ガイド経路から前記第一ガイドユニットを経過し送り一時的に保存すると共に、前記第二一時的保存経路に一時的に保存する前記ペーパーは前記第一ガイドユニットにより前記第一ガイド経路に送り、
前記第二タンデム点にピボットすると共に、前記第二ガイド経路と前記伝送経路を選択に接続し合い、前記映像検知領域を通過する前記ペーパーを前記第二ガイド経路に導いて或いは前記取出口に送る第二ガイドユニットを含むことを特徴とする請求項１に記載する自動フィーダー装置。
【請求項１２】
一端がペーパーのフィーダー機構に連接し他端と回転経路が接続され接続箇所に第一タンデム点を形成し、第一方向に向く前記ペーパーの第一面が前記第一タンデム点を通過した後に前記回転経路に送られ前記ペーパーが映像検知領域を通過するフィーダー経路と、
前記回転経路は回転経路の入口と出口を有すると共に、前記回転経路の入口と出口の間の経路領域に前記映像検知領域を設置することと、
前記回転経路を接続し合うと共に、接続箇所に第二タンデム点を形成する出口経路で、もとの置き方法と同一の前記ペーパーを前記第二タンデム点を通過した後、前記出口経路から出、
前記回転経路の入口と出口、第一及び第二一時的保存経路の間に隣接設置する第一ガイドユニットで、第一又は第二一時的保存経路が前記第一ガイドユニットの移動に応じて前記回転経路の入口と出口とそれぞれ選択的に接続し合い、
前記第一一時的保存経路は前記第一ガイドユニットを前記回転経路に接続し合う位置まで移動する時に、前記ペーパーを前記回転経路から出て、前記第一ガイドユニットの導きにより送り、且つそれに一時的に保存し、前記ペーパーの第一面を第二方向に向ける方式で前記第一ガイドユニットの導きにより再び前記回転経路の入口に送り、前記映像検知領域を通過した後、前記回転経路に戻ることで前記第一と第二方向は互いに相反するペーパーの向きとなり、
前記第二一時的保存経路は前記第一ガイドユニットを前記回転経路に接続し合う位置まで移動する時に、前記ペーパーを前記回転経路から出て、前記第一ガイドユニットの導きにより送り、且つそれに一時的に保存し、前記ペーパーの第一面を第一方向に向ける方式で前記第一ガイドユニットの導きにより再び前記回転経路の入口に送り、最後に前記出口経路から出ることを特徴とする請求項１に記載する自動フィーダー装置。
【発明の詳細な説明】
【技術分野】
【０００１】
本発明は如何なる書類にも合わせて片面又は両面の映像検知動作を行なう自動フィーダー装置に関するものである。
【背景技術】
【０００２】
従来の映像処理技術分野において、スキャナー、プリンター、コピー機等は複数のペーパーの紙送り作業を行なう映像処理装置が必要であり、通常片面又は両面映像検知動作を行なう自動フィーダー装置をセットにして使用しており、ペーパーの映像処理を行なう際、自動的に取込口カセットから自動フィード作業をするだけでなく、映像処理完了後、ペーパーを元の配列順序で取出口カセットに置くことで、ユーザーの利便性に寄与している。
【０００３】
図１は特許文献１が掲示している自動フィーダー装置の構造断面図と作業概略図である。図１では、従来の自動フィーダー装置１０に最低下記の各素子を含んでいる。第一乃至第七ロールセット１１〜１７、取込口のプラットホーム１８、取出口のプラットホーム１９、可動式ガイドバー１１０、第一と第二伝送経路１１１、１１２、傾斜式ガイド経路１１３、交換のガイドバー１１４、交換の伝送経路１１５及び反対方向の伝送経路１１６である。このうち、前記第一ロールセット１１はピックアップロール（pick-up  roller）で、前記第二ロールセット１２は分離式のピックアップロール（separating  roller）で、前記第三乃至第五ロールセット１３〜１５及び第七ロールセット１７は何れもスレーブロールとマスタロールを含む。このほかに、前記第六ロールセット１６はさらにスレーブロール１６１と二個のマスタロール１６２、１６３をも含む。図１で示した数個の検知制御素子Ｓ１１〜Ｓ１５は、ペーパーの所在地を検知し、上述した前記ロールセットが対応する回転方向を制御するが、この部分の工作原理は周知であり、説明を省略する。
【０００４】
また、格子３１、反射ミラー３２、露光ライト３３並びに反射光線Ｌ進行方向に位置する映像検知制御素子（例えば、ＣＣＤ若しくはＣＩＳ等の従来型検知器、図未提示）等の素子で構成される映像検知装置は、前記自動フィーダー装置１０を通過するペーパーに対して映像検知動作を行なう。この部分の工作原理も説明を省略する。
【０００５】
図１で示した構造を利用して両面映像検知動作の関連原理を下記に簡略に述べるが、片面映像検知動作の原理については、後述の両面映像検知動作の関連原理を参照することで、内容を把握できる。
【０００６】
まず、前記取込口のプラットホーム１８に置かれた複数のペーパーＰの一番目のペーパー（図未提示）がピックアップロール１１によってピックアップされ、前記分離式のロール１２と第三ロールセット１３との挟持動作により前方に伝送され、前記第一伝送経路へ導かれる。その後、前記第一伝送経路１１１に位置する前記第四ロールセット１４は、引き続き前記一番目のペーパーを前方へ伝送させ、前記映像検知装置が前記一番目のペーパーの第一面に対して映像検知動作を行ない、前記傾斜式ガイド経路１１３に導かれて、前記第二伝送経路１１２へ進入する。続いて、前記第二伝送経路１１２に位置する前記第五ロールセット１５は、前記一番目のペーパーを前記スレーブロール１６１と前記マスタロール１６２間のロール間隙に伝送する。
【０００７】
ここで前記自動フィーダー装置１０が両面モードにあると仮定すると、前記可動式ガイドバー１１０はまず最初のガイド状態（図１点線表示部分）にあり、前記一番目のペーパーが前記スレーブロール１６１と前記マスタロール１６２の挟持動作により、前記可動式ガイドバー１１０によって前方へ伝送されると、続いて前記第七ロールセット１７の挟持動作により、前記交換のガイドバー１１４と前記自動フィーダー装置１０の構成体で共同形成する前記交換の伝送経路１１５に伝送されていく。前記一番目のペーパーが前記活動式のガイドバー１１０上部を離れると、前記活動式のガイドバー１１０は第二ガイド状態（図１実線表示部分）に成り変り、かつ前記第七ロールセット１７の回転方向を反対方向に進ませ、前記第七ロールセット１７と反対方向の回転により、前記スレーブロール１６１と前記マスタロール１６３との挟持動作に呼応して、前記一番目のペーパーを前記反対方向の伝送経路１１６に伝送していく。
【０００８】
前記反対方向の伝送経路１１６と前記第一伝送経路１１１間に接続し合う経路領域設計は、下方へ彎曲状態を呈し、前記一番目のペーパーが前記第一伝送経路１１１へスムースに二番目に導かれ、その後前記映像検知装置が前記一番目のペーパーの第二面に対して映像検知動作を行なう。このとき元の配列方式でペーパーを前記取出口のプラットホーム１９に置きたいと思えば、もう一度ペーパーの反対方向回転動作を行なう必要があり、然る後ペーパーを前記取出口のプラットホーム１９へ送ることが出来る。前記活動式のガイドバー１１０はこのとき再度前記第一ガイドの状態にあり、さらに前記関連ロールセットの導きに合わせて、前記一番目のペーパーを再度前記交換の伝送経路１１５に進入させる。続けて、前記活動式のガイドバー１１０が再度前記第二ガイド状態にあることで、前記第七ロールセット１７と反対方向に回転して、前記一番目のペーパーを再度前記反対方向の伝送経路１１６に伝送進入させる。
【０００９】
最後に、前記一番目のペーパーの両面映像検知動作は既に完了しているので、前記第一伝送経路１１１の前記一番目のペーパーを三回目の進入をさせるものの、前記の映像検知動作を行なう必要はもうなく、かつ前記活動式のガイドバー１１０が引き続き前期第二ガイド状態に有ることで、前記一番目のペーパーをスムースに前記スレーブロール１６１と前記マスタロール１６２間のロール間隙から前記取出口のプラットホーム１９に伝送させることができ、元のペーパーの配列方式どおりにその中に置かれる。その後、また順序に従い次のペーパーのフィードと映像検知動作を行なう。
【００１０】
上記の従来型技術の欠点は後述するように、前記交換の伝送経路１１５に一時保存されるペーパーの先端部分が前記第七ロールセット１７の反対方向回転並びに前記の関連するロールセットのガイドに合わせて送られ、前記反対方向の伝送経路１１６、前記第一伝送経路１１１、前記傾斜式ガイド経路１１３及び前記第二伝送経路１１２を通過した後、前記ペーパーの長さがオーバーしたために、その後端部分がこのときまだ完全に前記交換の伝送経路１１５を離れておらず、このため前記ペーパーの先端部分が前記可動式ガイドバー１１０が第一ガイド状態にあることで、前記第二伝送経路１１２から前記交換の伝送経路１１５に送られる際、その後端部分とぶつかり合い、これにより前記ペーパーは完全に前記可動式ガイドバー１１０付近の素子の間隙に挟まり、使用上の大きな悩みとなっている。
【特許文献１】米国特許  第５,７８４,６８０号明細書
【発明の開示】
【発明が解決しようとする課題】
【００１１】
本発明の主な目的は、ペーパーの長さ制限を受けず、かつどの文書にも合わせて片面若しくは両面の映像検知動作を行なう自動フィーダー装置を提供することである。
【課題を解決するための手段】
【００１２】
本発明は、ペーパーを置くためのフィーダー機構と接続し合う取込口、取出口、映像検知領域を有する伝送経路と、それぞれの一端が前記伝送経路を接続し合うそれぞれ箇所に第一と第二タンデム点を形成する第一と第二ガイド経路と、前記第一と第二ガイド経路の他端付近に設置し、前記第二ガイド経路からのペーパーを一時的に保存し、且つ前記ペーパーの表面を第一或いは第二方向に向かう方法により再び前記第一ガイド経路へ送る第一と第二一時的保存経路で前記第一方向と第二方向はペーパーの向きが相反することと、前記第一と第二ガイド経路の他端に隣接するよう設置し、前記第一と第二一時的保存経路の間の第一と第二のガイド板を有する第一ガイドユニットで、第一ガイドユニットは前記第一と第二一時的保存経路と第一と第二ガイド経路の他端を選択的に接続し合うことで、前記第一ガイド板の一端は前記第一と第二ガイド経路の他端の間にピボットし他端は下へその下端の前記第二ガイド板に当接し、前記第二ガイド板の移動に応じて同時に移動し、且つ前記第二ガイド経路からのペーパーは前記第二ガイド板の導きにより第一と第二一時的保存経路に導入され、第一と第二一時的保存経路からの前記ペーパーは前記第一ガイド板の導きにより第一ガイド経路に導入することと、前記第二タンデム点にピボットすると共に、前記第二ガイド経路の一端と前記伝送経路を選択的に接続し合い、前記映像検知領域を通過する前記ペーパーを導き前記第二ガイド経路を導入し或いは前記取出口に送る第二ガイドユニットを含むことを特徴とする自動フィーダー装置に関するものである。
【００１３】
上記の発明構想によれば、前記第二ガイド板の一端は前記第二ガイド経路の他端下方にピボットし、その上端にある前記第一ガイド板の他端を下へ前記第二ガイド板の上端表面に当接し、前記第二ガイド板の他端は第一と第二一時的保存経路と選択的に接続し合うことを含む。
【００１４】
上記の発明構想によれば、前記第二ガイドユニットの一端は前記第二タンデム点にピボットし、且つ前記第二ガイドユニットの他端を移動し前記第二ガイド経路と前記伝送経路を接続し合う時に、映像検知領域を通過する前記ペーパーを導き前記第二ガイドユニットの上端表面により前記第二ガイド経路を導入し又は前記第二ガイドユニットの他端を移動し前記第二ガイド経路を停止させ前記伝送経路と接続し合う時に、前記第二ガイドユニットの下端表面を経由し前記取出口に送り出すことを含む。
【００１５】
上記の発明構想によれば、第一乃至第三検知制御素子が各々それに対応する経路の一端に設置されることをさらに含む。
【００１６】
上記の発明構想によれば、前記自動フィーダー装置が片面モードとなる場合は前記第二ガイド経路が停止、前記伝送経路を接続し合うことに位置する形態に応じて前記ペーパーを前記フィーダー箇所から前記伝送経路に入り、前記映像検知領域を通過し一回の映像検知のみを行なった後、前記第二ガイドユニットの導きにより前記取出口に送られる。
【００１７】
上記の発明構想によれば、さらに第一ロールセットを含み、二個のマスタロールと前期二個のマスタロール間にあるスレーブロールの第二ロールセット及び第三乃至第五ロールセットを具備し、このうち前記第一、第三乃至第五ロールセットは何れも各々マスタロールとスレーブロールを含み、かつそれぞれその経路に応じて両側に設けられている。
【００１８】
本発明の別途好ましい実施方式は、ペーパーを置くためのフィーダー機構と接続し合う取込口、取出口、映像検知領域を有する伝送経路と、それぞれの一端が前記伝送経路を接続し合い、それぞれ接続し合う箇所に第一と第二タンデム点を形成し、前記映像検知領域を通過するための前記ペーパーを供する前記第一と第二ガイド経路で、前記第一と第二ガイド経路により再び前記伝送経路に送ることと、前記第一と第二ガイド経路の他端に隣接設置する第一ガイドユニットで、前記第一と第二一時的保存経路の間に前記第一又は第二一時的保存経路を前記第一ガイドユニットの移動に応じて、前記第一と第二一時的保存経路の他端にそれぞれ選択的に接続し合うことと、前記第一一時的保存経路は前記第一ガイドユニットを前記第一及び第二ガイド経路の他端に接続し合うことまで移動させる時に、前記ペーパーを前記第二ガイド経路から前記第一ガイドユニットを経由して送り一時的に保存すると共に、前記第一一時的保存経路に一時的に保存する前記ペーパーは前記第一ガイドユニットにより前記第一一時的保存経路に送ることと、前記第二一時的保存経路は前記第一ガイドユニットを前記第一及び第二ガイド経路の他端に接続し合うことまで移動させる時に、前記ペーパーを前記第二ガイド経路から前記第一ガイドユニットを経過し送り一時的に保存すると共に、前記第二一時的保存経路に一時的に保存する前記ペーパーは前記第一ガイドユニットにより前記第一ガイド経路に送ることと、前記第二タンデム点にピボットすると共に、前記第二ガイド経路と前記伝送経路を選択に接続し合い、前記映像検知領域を通過する前記ペーパーを前記第二ガイド経路に導いて或いは前記取出口に送る第二ガイドユニットを含む自動フィーダー装置に関するものである。
【００１９】
本発明のまた別途好ましい実施方式は、一端がペーパーのフィーダー機構に連接し他端と回転経路が接続され接続箇所に第一タンデム点を形成し、第一方向に向く前記ペーパーの第一面が前記第一タンデム点を通過した後に前記回転経路に送られ前記ペーパーが映像検知領域を通過するフィーダー経路と、前記回転経路は回転経路の入口と出口を有すると共に、前記回転経路の入口と出口の間の経路領域に前記映像検知領域を設置することと、前記回転経路を接続し合うと共に、接続箇所に第二タンデム点を形成する出口経路で、もとの置き方法と同一の前記ペーパーを前記第二タンデム点を通過した後、前記出口経路から出ることと、前記回転経路の入口と出口、第一及び第二一時的保存経路の間に隣接設置する第一ガイドユニットで、第一又は第二一一時的保存経路が前記第一ガイドユニットの移動に応じて前記回転経路の入口と出口とそれぞれ選択的に接続し合うことと、前記第一一時的保存経路は前記第一ガイドユニットを前記回転経路に接続し合う位置まで移動する時に、前記ペーパーを前記回転経路から出て、前記第一ガイドユニットの導きにより送り、且つそれに一時的に保存し、前記ペーパーの第一面を第二方向に向ける方式で前記第一ガイドユニットの導きにより再び前記回転経路の入口に送り、前記映像検知領域を通過した後、前記回転経路に戻ることで前記第一と第二方向は互いに相反するペーパーの向きと、前記第二一時的保存経路は前記第一ガイドユニットを前記回転経路に接続し合う位置まで移動する時に、前記ペーパーを前記回転経路から出て、前記第一ガイドユニットの導きにより送り、且つそれに一時的に保存し、前記ペーパーの第一面を第一方向に向ける方式で前記第一ガイドユニットの導きにより再び前記回転経路の入口に送り、最後に前記出口経路から出るを含む自動フィーダー装置に関するものである。
【発明を実施するための最良の形態】
【００２０】
下記に好ましい実施例を列挙して本発明を説明するが、当該分野を熟知した技術者は何れも本件を了知しているので一例を挙げるに留めるが、これをもって発明それ自体を限定するものではない。
【００２１】
図２(a)乃至図４(c)は何れも自動フィーダー装置２０が両面モードにある場合の各種構造断面図と作動概略図である。図５(a)、(b)については、前記自動フィーダー装置２０が片面モードにある場合の構造断面図と作動概略図である。
【００２２】
図２(a)を例にとると、前記自動フィーダー装置２０は両面モードにあり、且つ最初の映像検知動作が完了した時の構造断面図と作動概略図である。そのうち、前記自動フィーダー装置２０は少なくとも、第一、第二ガイド板２５１、２５２の第一ガイドユニット、第二ガイドユニット２６、第一、第二一時的保存経路T１、T２、第一乃至第五のロールセット２７１〜２７２、２８１〜２８３、２１０１〜２１０２、２１１１〜２１１２、２１２１〜２１２２、第一乃至第五の検知制御素子Ｓ２１〜Ｓ２５を具備したフィーダー機構２１、伝送経路２２、第一、第二ガイド経路２３、２４といった素子を含むものとする。
【００２３】
そのうち、前記フィーダー機構２１はさらに少なくとも、吸込口カセット２１１、ピックアップアーム２１２、前記ピックアップアーム２１２の両側に各々設けられたピックアップロール２１３１と分離式のロール２１３２及び取出口カセット２１４等の素子を含むものとする。さらに前記伝送経路２２は前記フィーダー機構２１と相互に接続する取込口２２１、取出口２２２及び映像検知領域２２３を最低含むものとする。当然のことながら、図１に類似した映像検知装置（図未提示）は、前記映像検知領域２２３下方に設置することが出来、前記映像検知領域２２３を通過するペーパーに対して映像検知動作を行なう。
【００２４】
このほかに、前記第一、第二ガイド経路２３、２４の一端は各々前記伝送経路２２と接続し合う箇所で第一、第二タンデム点I１、I２を形成する。前記第一、第二ガイド経路２３、２４の他端については、それぞれピッタリ隣接する方式（図示）若しくは距離を置く方式で設置するものの（図未提示）、実際の方式は各技術者に任されるところであり、上記の空間配置方式に限るものではない。
【００２５】
また、前記第一ガイド板２５１の一端は第一、第二ガイド経路２３、２４の各々の一端にピボットしており、前記第一ガイド板２５１の他端はその下方に垂下している前記第二ガイド板２５２に当接する。前記第二ガイド板２５２の一端は、第二ガイド経路２４の他端下部にピボットし、その他端は前記第二若しくは第三検知制御素子Ｓ２２、Ｓ２３の制御に応じて、その上部にある前記第一ガイド板２５１に選択的に先導されるようにして上下に軸回転変位し、前記第一、第二ガイド経路２３、２４を前記第一、第二一時的保存経路T１、T２と相互に接続することができる。前記第二ガイドユニット２６については、前記第二タンデム点I２にピボットしており、前記第一若しくは第二検知制御素子Ｓ２１、Ｓ２２の制御に応じて、前記第二ガイド経路２４の一端を選択的に前記伝送経路２２と互いに接続し合える。好ましくは、前記第二ガイドユニット２６もまたガイド板となりうる。前記検知制御素子Ｓ２１〜Ｓ２３を利用して上述の前記ガイド板２５１、２５２、２６の変位を制御し、ペーパーの伝送動作をスムースに行なう好ましい実施方式については、後に詳述する。
【００２６】
さらに、本実施例において、前記第二ロールセット２８１〜２８３は、前記スレーブロール２８１と二個のマスタロール２８２、２８３を含む。前記スレーブロール２８１と前記マスタロール２８２間のロール間隙に前記第一一時的保存経路T１を構成でき、前記スレーブロール２８１と前記マスタロール２８３間のロール間隙には、前記第二一時的保存経路T２を構成できる。さらに好ましい方法として、前記第一、第二一時的保存経路T１、T２の側面にさらにそれぞれ第一、第二一時的保存カセット２９１、２９２を設け、ペーパーが安定した方式で前記第一、第二一時的保存経路T１、T２に一時保存される。
【００２７】
このほかに、前記第一ロールセット２７１、２７２と前記第三乃至第五ロールセット２１０１〜２１０２、２１１１〜２１１２、２１２１〜２１２２において、何れも各々スレーブロールとマスタロールを含む。前記第一乃至第五検知制御素子Ｓ２１〜Ｓ２５の設置位置と提供される検知機能については、各技術者に任されるところであり、本実施例に限るものではない。
【００２８】
本案における別途好ましい実施方式では、前記取込口２２１から前記第一タンデム点I１間の経路領域を取込経路と看做し、前記取出口２２２から前記第二タンデム点I２間の経路領域を取出経路と看做すことができる。また、前記伝送経路２２の部分経路領域（前記映像検知領域２２３を含む）を前記第一、第二ガイド経路２３、２４と結合させて、共同で回転経路取込口と取出口を具備した回転経路を構成する。上記の別途好ましい実施方式の具体的な実施構造概略図は、図２(a)で示したように配置できるが、各技術者に任されるところにより、図２(a)で示した構造に限られない。
【００２９】
以下、本案で列挙した好ましい実施例の詳細な稼働原理を詳しく述べる。また、図２(b)において、図２(a)に関連した部分素子と構造概略図も合わせて参照することとする。そこでは、前記自動フィーダー装置２０が両面モードの状態にあり、かつ前記取込口カセット２１１に置かれた複数のペーパーＰの第一面が何れも上向きになっている（図２(a)、(b)でＵと表示した方向）と仮定する。映像検知動作が開始されると、前記ピックアップロール２１３１と分離式のロール２１３２は、前記複数のペーパーＰの一枚目のペーパーＰ１を図に示された方向Ａに沿って、前記第一タンデム点I１に送り、さらに前記第一ロールセット２７１、２７２の先導で前記一枚目のペーパーＰ１を前記映像検知領域２２３の方向へ向けて前進させ、前記映像検知装置で第一面（このとき図２(a)、(b)でＤと表示された方向に向く）に対して最初の映像検知動作を行なうのである。続いて、前記一枚目のペーパーＰ１が前記第一検知制御素子Ｓ２１を通過することで、前記第一検知制御素子Ｓ２１はこれに応じて前記第二ガイドユニット２６が下方向に振り動く（図２(b)でＳＤ２と表示した方向）のを制御する。このようにして、前記第二ガイド経路２４は前記伝送経路２２と相互に接続し合い、前記一枚目のペーパーＰ１は前記第二ガイドユニット２６の上部表面を通過して中へと進入する。その後また前記第二ガイド板２５２の他端と合わさるが、このとき前記第一一時的保存経路T１に接近しており、かつ前記第二ロールセットの前記スレーブロール２８１と前記マスタロール２８２はそれぞれ左回りの方向Ｆ１と時計回りの方向Ｆ２になり、前記第二ガイド経路２４の両サイドにある前記第五ロールセット２１２１、２１２２の先導で前記一枚目のペーパーＰ１を前方に送り、前記一枚目のペーパーＰ１の先端部分は前記第一ガイド板２５１を開けた後、前記スレーブロール２８１と前記マスタロール２８２のロールが挟持する箇所をスムースに通過して前記第一一時的保存経路T１に進入する。
【００３０】
図２(c)は、図２(b)の前記第一一時的保存経路T１に一時保存されている前記一枚目のペーパーＰ１が、前記第一ガイド経路２３に最初に進入する作動概略図である。図２(c)で、前記一枚目のペーパーＰ１の後端部分が第二検知制御素子Ｓ２２の感知範囲を外れた後、一定時間が経過すると、前記スレーブロール２８１を制御して反対方向に回転する。つまり、前記スレーブロール２８１は時計回りの方向Ｆ２へと転換し、前記マスタロール２８２は左回りの方向Ｆ１へと転換するのである。こうして、前記第一ガイド経路２３の両サイドにある前記第三ロールセット２１０１、２１０２の回転に合わせて、前記一枚目のペーパーＰ１を前記第一タンデム点I１を経由して、再び前記伝送経路２２へスムースに導く。
【００３１】
図３(a)は、前記一枚目のペーパーＰ１が前記第二一時的保存経路T２に進入したときの構造及び作動概略図であり、図３(b)は図３(a)における部分素子と構造概略図である。また、図３(c)は図３(a)における前記一枚目のペーパーＰ１が前記第二ガイド経路２４を通過し完全に離れ、前記第二一時的保存経路T２に一時保存されたときの作動概略図である。
【００３２】
また、前記伝送経路２２に進入した前記一枚目のペーパーＰ１は、上記の反対方向に送る処理を経た後、再度前記映像検知領域２２３を通過すると、前記一枚目のペーパーＰ１の第一面は上向きとなり（図３(a)、(b)のＵと表示された方向）、前記一枚目のペーパーＰ１の第二面を前記映像検知領域２２３に向ける。当然、このとき前記第一検知制御素子Ｓ２１もまた前記一枚目のペーパーＰ１の通過に対応して、再度前記映像検知装置を制御して映像検知動作を行なうのである。このほかに、前記第二検知制御素子Ｓ２２もまた前記一枚目のペーパーＰ１が前記第一ガイド経路２３に進入するのに対応して一定時間後に、検知制御は第二ガイド板２５２が先導して上方へ当接する前記第一ガイド板２５１は同時に下方向へ振れ動き（図３(b)でＳＤ1と表示した方向）、前記第二一時的保存経路T２に接近する。こうして、前記一枚目のペーパーＰ１は再度第二ガイド経路２４に進入した後、前記第二ロールセットの前記スレーブロール２８１と前記マスタロール２８３とが合わさり、それぞれ時計回りの方向Ｆ２と左回りの方向Ｆ１になり、前記一枚目のペーパーＰ１の先端部分が第一ガイド板２５１を開けて、前記スレーブロール２８１と前記マスタロール２８３の回転接触部分をスムースに通過して前記第二一時的保存経路T２に進入する。こうして、前記一枚目のペーパーＰ１の後端部分がまだ完全に前記第一一時的保存経路T１から離れていなくても、この時点で前記一枚目のペーパーＰ１の先端部分はその後端部分と何等押し合うことなく、従来の技術でのぺーパー送りのトラブルをスムースに回避できる。
【００３３】
続いて、前記第二検知制御素子Ｓ２２が最早前記一枚目のペーパーＰ１の後端部分を感知し得なくなると、前記第二検知制御素子Ｓ２２は前記第二ガイドユニット２６が上方向に振れ動くのを制御し（図３(c)でＳＵ２と表示された方向）、前記第二ガイド経路２４が前記伝送経路２２と相互の接続し合うのを終了させる。
【００３４】
図４(a)は前記第二一時的保存経路T２に一時保存されている前記一枚目のペーパーＰ１で、前方に向かって前記第一ガイド経路２３に進入し、最後に前記取出口カセット２１４へと送られる作動概略図であり、図４(b)は図４(a)の部分素子と構造概略図である。図４(c)については、図４(b)の前記一枚目のペーパーＰ１が前記第一ガイド経路２３を通過し離れて行くところの作動概略図である。
【００３５】
図４(a)、(b)では、前記一枚目のペーパーＰ１の後端部分が前記第二検知制御素子Ｓ２２の感知範囲から外れて、一定時間経過後、前記スレーブロール２８１が再度反対方向回転するよう制御する。また、前記スレーブロール２８１が左回りの方向Ｆ１に転換し、さらに前記マスタロール２８３が時計回りの方向Ｆ２に転換する。このようにして、前記第一ガイド経路２３の両サイドにある前記第三ロールセット２１０１、２１０２の回転に合わせて、スムースに前記一枚目のペーパーＰ１は前記第一タンデム点I１から三度目の前記伝送経路２２に入る。その後また前記映像検知領域２２３を通過するものの、最早映像検知動作は行なわない。前記第二ガイド経路２４は前記伝送経路２２と接続し合わなくなり、これで前記一枚目のペーパーＰ１は前記第二ガイドユニット２６の下部表面を通過し、前記取出口２２２へと導かれていき、前記第四ロールセット２１１１、２１１２の先導により前記伝送経路２２から離れていく。
【００３６】
注目すべきは、このとき前記一枚目のペーパーＰ１の第一面が元々前記取込口カセット２１１にあった時と同様の方向で、前記取出口カセット２１４にスムースに収まることにより、前記複数のペーパーＰの配列順序が維持できる。
【００３７】
図４(c)では、図４(a)、(b)で示した一枚目のペーパーＰ１の後端部分が前記第一ガイド経路２３にある前記第三検知制御素子Ｓ２３の感知範囲から外れた後、前記第三検知制御素子Ｓ２３、第二ガイド板２５２は上方に当接する前記第一ガイド板２５１を先導して同時に上方へ振れ動くよう制御する（図４(c)でＳＵ１と表示された方向）。また、前記一枚目のペーパーＰ１の後端部分が第五検知制御素子Ｓ２５の感知範囲から外れた後、図２(a)で示した前記ピックアップロール２１３１を制御して、引き続き次のペーパーをピックアップし上記の両面映像検知動作を繰り返し、最後に前記第四検知器Ｓ２４がペーパーの不存在を感知して初めて前記ピックアップロール２１３１のピックアップ動作をストップさせる。
【００３８】
本案実施例が片面映像検知動作を行なう図５は、本案自動フィーダー装置が片面モードにあり、且つ映像検知動作を完了させた構造断面及びその作動概略図である。図５(b)は、図５(a)の部分素子と構造の概略図である。
【００３９】
詳細には図５(a)、(b)において、その基本動作が以上のように述べられている。その差異は前記第二ガイドユニット２６、前記第二ガイド経路２４が伝送経路２２と接続し合わないことにあり、こうすることで、前記フィーダー機構２１はペーパーを前記取込口２２１に進入させ、前記伝送経路２２の前記映像検知領域２２３を通過して映像検知動作を完了させて、最後に前記第一ロールセット２７１、２７２と前記第四ロールセット２１１１、２１１２の先導により、前記一枚目のペーパーＰ１を前記取出口２２２より前記取出口カセット２１４へと送り、前記複数のペーパーＰのその他のペーパーも上記の工程を繰り返し、前記取出口カセット２１４へと送られる。
【００４０】
以上述べたように、本案が上述してきた前記第一、二ガイド板２５１、２５２、前記第二ガイドユニット２６及び前記第一、第二一時的保存経路T１、T２等の構造設計により、従来の技術でペーパーの長さが制限された欠点を明瞭且つ容易に克服できるので、本案は極めて産業価値の高い作である。
【００４１】
本発明は熟練した技術者の考案により諸般の補正を為すも、何れも特許申請の範囲を逸脱せず保護されるものである。
【図面の簡単な説明】
【００４２】
【図１】従来の自動フィーダー装置の構造断面図と作動概略図である。
【図２（ａ）】何れも本案自動フィーダー装置が両面モードの状態で、最初の映像検知動作を完了した際の素子の構造断面図と作動概略図である。
【図２（ｂ）】何れも本案自動フィーダー装置が両面モードの状態で、最初の映像検知動作を完了した際の素子の構造断面図と作動概略図である。
【図２（ｃ）】図２(b)の前記第一一時的保存経路Ｔ１に一時保存されている前記一枚目のペーパーＰ１であって、前方の前記第一ガイド経路２３に送られる作動概略図である。
【図３（ａ）】図２(c)の前記一枚目のペーパーＰ１が前記第二一時的保存経路（Ｔ２）に進入する構造と作動概略図である。
【図３（ｂ）】図２(c)の前記一枚目のペーパーＰ１が前記第二一時的保存経路（Ｔ２）に進入する構造と作動概略図である。
【図３（ｃ）】図３(b)の前記一枚目のペーパーＰ１が前記第二ガイド経路２４を通過しかつ完全に離れ、前記第二一時的保存経路Ｔ２に一時保存されている作動概略図である。
【図４（ａ）】何れも図３(c)の前記第二一時的保存経路Ｔ２に一時保存されている前記一枚目のペーパーＰ１が、前方の前記第一ガイド経路２３に送られ、かつ最後に前記取出口カセット２１４に送られる作動概略図である。
【図４（ｂ）】何れも図３(c)の前記第二一時的保存経路Ｔ２に一時保存されている前記一枚目のペーパーＰ１が、前方の前記第一ガイド経路２３に送られ、かつ最後に前記取出口カセット２１４に送られる作動概略図である。
【図４（ｃ）】図４(b)の前記一枚目のペーパーＰ１が前記第一ガイド経路２３を通過し、離れようとしている作動概略図である。
【図５（ａ）】何れも本案の自動フィーダー装置が片面モードの状態にあり、かつ映像検知動作を完了させる際の構造断面図と作動概略図である。
【図５（ｂ）】何れも本案の自動フィーダー装置が片面モードの状態にあり、かつ映像検知動作を完了させる際の構造断面図と作動概略図である。
【符号の説明】
【００４３】
１０  従来の自動フィーダー装置
１１〜１７  第一乃至第七ロールセット
１６１  スレーブロール
１６２、１６３  マスタロール
１８  取込口プラットホーム
１９  取出口プラットホーム
１１０  可動式ガイドバー
１１１、１１２  第一と第二伝送経路
１１３  傾斜式ガイド経路
１１４  交換のガイドバー
１１５  交換の伝送経路
１１６  反対方向の伝送経路
Ｓ１１〜Ｓ１５  検知制御素子
３１  格子
３２  反射ミラー
３３  露光ライト
Ｌ  反射光線
２０  自動フィーダー装置
２１  フィーダー機構
２１１  取込口カセット
２１２  ピックアップアーム
２１４  取出口カセット
２１３１  ピックアップロール
２１３２  分離式のロール
２２    伝送経路
２２１  取込口
２２２  取出口
２２３  映像検知領域
２３、２４  第一、第二ガイド経路（第一ガイドユニット）
２５１、２５２  第一、二ガイド板
２６  第二ガイドユニット
２７１、２７２、２８１〜２８３、２１０１、２１０２、２１１１、２１１２、２１２１、２１２２  第一乃至第五のロールセット
２７１、２８１、２１０１、２１１１、２１２１  マスタロール
２７２、２８２、２８３、２１０２、２１１２、２１２２  スレーブロール
２９１、２９２  第一、第二一時的保存カセット
I１、I２  第一、第二タンデム点
T１、T２  第一、第二一時的保存経路
Ｓ２１〜Ｓ２５  第一乃至第五の検知制御素子
Ｆ１  左回りの方向
Ｆ２  時計回りの方向
Ｐ  複数のペーパー
Ｐ１  一枚目のペーパー
A  ペーパーの伝送方向
U、D    ペーパーの第一面が上向き
SU１、SU２    第一、二ガイドユニットが上振り方向
SD１、SD２    第一、二ガイドユニットが下振り方向
【図１】
2008044785.tif 000003
【図２（ａ）】
2008044785.tif 000004
【図２（ｂ）】
2008044785.tif 000005
【図２（ｃ）】
2008044785.tif 000006
【図３（ａ）】
2008044785.tif 000007
【図３（ｂ）】
2008044785.tif 000008
【図３（ｃ）】
2008044785.tif 000009
【図４（ａ）】
2008044785.tif 000010
【図４（ｂ）】
2008044785.tif 000011
【図４（ｃ）】
2008044785.tif 000012
【図５（ａ）】
2008044785.tif 000013
【図５（ｂ）】
2008044785.tif 000014